【事件の表示】
　特願２０００−２１５３５７「放送チャンネル選択装置」拒絶査定不服審判事件〔平成１４年　１月３１日出願公開、特開２００２−　３３９６９〕について、次のとおり審決する。
【結　論】
　本件審判の請求は、成り立たない。
【理　由】
１．手続の経緯
　本願は、平成１２年７月１７日の出願であって、平成１５年１２月１７日付けで拒絶理由が通知され、これに対し、平成１６年２月１６日付けで手続補正がなされ、平成１６年２月２７日付けで拒絶査定がなされ、これに対し、平成１６年３月３０日に拒絶査定に対する審判請求がなされるとともに、同日付けで手続補正（明細書及び図面について請求の日から３０日以内にする補正）がなされたものである。
　
２．平成１６年３月３０日付けの手続補正についての補正却下の決定
［補正却下の決定の結論］
　　平成１６年３月３０日付けの手続補正を却下する。
［理由］
（１）補正後の本願発明　
　平成１６年３月３０日付けの手続補正（以下、「本件補正」という。）により、特許請求の範囲の請求項１は以下のように補正される。
「【請求項１】　複数のチャンネルの放送信号から所定のチャンネルの放送信号を選択して受信するチューナと、
　チャンネルの順送りまたは逆送り指示を行うチャンネル送り指示手段と、
　チャンネルを示す番号を入力する番号入力手段と、
　受信することが可能なチャンネルを記憶する記憶手段と、
　該記憶手段に記憶したチャンネル番号と、前記番号入力手段から入力したチャンネル番号の上位桁の番号と前記番号入力手段から入力していないチャンネル番号の下位桁の番号を０とみなして定まる番号とを比較し、前記記憶手段に記憶した最も近いチャンネル番号を選び出す判断手段と、
　チャンネル番号を表示する表示手段とを具備し、
　前記判断手段で選び出した最も近いチャンネル番号を前記表示手段に表示し、前記最も近いチャンネル番号を起点として、前記チャンネル送り指示手段の送り指示により前記所定のチャンネルまで順送りまたは逆送りして該所定のチャンネル番号を前記チューナに指示し、放送信号を受信することを特徴とする放送チャンネル選択装置。」
　
　上記補正は、請求項１に記載した発明を特定するために必要な事項である「チャンネル送り指示手段」の送り指示により、「前記最も近いチャンネル番号を起点として、」所定のチャンネルまで順送りまたは逆送りを行うよう限定するものであり、特許法第１７条の２第４項第２号の特許請求の範囲の減縮を目的とするものに該当する。
　
　そこで、本件補正後の前記請求項１に記載された発明（以下「本願補正発明」という。）が特許出願の際独立して特許を受けることができるものであるか（特許法第１７条の２第５項において準用する同法第１２６条第５項の規定に適合するか）について以下に検討する。　
　
（２）引用例
　原査定の拒絶の理由に引用された特開２０００−１６５７７１号公報（平成１２年６月１６日出願公開、以下「引用例」という。）には、図面とともに、次のとおりの記載がある。
（ａ）「【発明が解決しようとする課題】
　この発明は、チャンネル番号を入力してチャンネルを選択する場合において、視聴したい番組が提供されているチャンネルが選択し易くなるテレビジョン受像機を提供することを目的とする。
【課題を解決するための手段】
　この発明によるテレビジョン受像機は、２桁以上のチャンネル番号が存在し、かつ０〜９の数字キーによってチャンネル番号を指定する機能を有するテレビジョン受像機において、番号が先頭桁から順に１桁ずつ入力される毎に、受信可能な全チャンネルのチャンネル番号のうち、先頭から入力された番号の桁までの番号が入力された番号に一致するチャンネル番号を検索する検索手段、および検索手段によって抽出された各チャンネル番号を含む項目を、一覧表示させる表示手段を備えていることを特徴とする。
　上記各チャンネル番号を含む項目内に、対応するチャンネルに関する情報も表示させることが好ましい。
　上記各チャンネル番号を含む項目のうちから、ユーザによって希望するチャンネル番号の項目を選択させる手段、および選択された項目のチャンネル番号に対する選局動作を行う手段を設けることが好ましい。」（段落４ないし７）
（ｂ）「地上波放送波は、地上波アンテナ１を介して地上波チューナ２に送られる。地上波チューナ２から得られた第１のオーディオ・ビデオ信号（ＡＶ信号）は、信号切替器５に送られる。
　通信衛星（ＣＳ）を利用したＣＳ放送波は、ＣＳアンテナ３を介してＣＳデジタル受信回路４に送られる。ＣＳデジタル受信回路４から得られた第２のオーディオ・ビデオ信号（ＡＶ信号）は、信号切替器５に送られる。ＣＳデジタル受信回路４から得られた番組案内情報等の付加情報は、システムコントローラ２０に送られる。（中略）
　システムコントローラ２０は、地上波チューナ２およびＣＳデジタル受信回路４に選局のための情報等を送るとともに信号切替器５に受信モードに応じた切替信号を送る。受信モードには、地上波放送番組受信モード、ＢＳ放送番組受信モードおよびＣＳ放送受信モードとがある。また、システムコントローラ２０は、ＣＳ放送に対する番組案内画面、ＣＳ放送に対する各種設定画面等をＣＲＴ８にオンスクリーン表示させるためのＯＳＤ信号を、ＯＳＤ表示回路１５に送る。ＯＳＤ表示回路１５は、オンスクリーン画像情報を、スーパインポーズ回路６に送る。」（段落１１ないし１４）
（ｃ）「図２は、ダイレクト選局動作の概要を示している。
番組が放映されている状態（受信画面が表示されている状態）において、リモコン１３の数字キーが押されると、図２に画面Ａで示すように、４桁分の数字を表示できる数字入力ボックスと、入力された数字によって指定される可能性のある各チャンネルの選択項目（以下、チャンネル選択項目）とがオンスクリーン表示される。各チャンネル選択項目には、放送局のマークを示すチャンネルロゴとチャンネル番号とが含まれている。（中略）
　画面Ａは、最初に数字”１”が押された場合の例を示しており、数字”１”が数字入力ボックスにおける最も左側の桁（１桁目）の位置に表示される。また、チャンネル番号の先頭が１で始まる各チャンネルのチャンネル選択項目が表示される。
　ユーザは、表示されているチャンネル選択項目を参考にして、次の桁の数字を入力する。ここでは、数字”２”が入力されたとすると、画面Ｂに示すように、入力された数字”２”が数字入力ボックスにおける左から２番目の桁（２桁目）の位置に表示される。また、チャンネル番号の先頭が”１２”で始まる各チャンネルのチャンネル選択項目が表示される。（中略）
　４桁目の数字が入力された場合には、１つのチャンネルが特定されるので、特定されたチャンネルに対する選局動作が行われる。」（段落２０ないし２６）
（ｄ）「なお、ダイレクト選局中に表示されたチャンネル選択項目を直接選択することによって、チャンネルを指定することもできる。
　たとえば、画面Ｃに示すチャンネル選択項目が表示されているときにおいて、チャンネル番号が”１２３３”に対応するチャンネル選択項目を選択するには、リモコン上の決定キーを押す。すると、画面Ｅに示すように、チャンネル選択項目のリストがアクティブとなり、表示されているチャンネル選択項目のうち、最も小さいチャンネル番号に対応するチャンネル選択項目にカーソルが移動せしめられる。
　そこで、リモコン上の上下左右キーを操作して、画面Ｆに示すように、チャンネル番号が”１２３３”に対応するチャンネル選択項目にカーソルを移動させた後、決定キーを押すと、選択されたチャンネル選択項目に対応するチャンネルに対する選局動作が行われる。」（段落２７ないし２９）
（ｅ）「図３は、システムコントローラによるダイレクト選局処理手順を示している。
　数字キー入力があった場合には（ステップ１でＹＥＳ）、数字キー処理が行われる（ステップ２）。（中略）
　図４は、数字キー処理手順の詳細を示している。
まず、数字入力があった場合には入力桁数を判別して一時的に記憶する（ステップ１１）。入力桁数が１桁目（最上位桁）である場合には（ステップ１２でＹＥＳ）、検索用入力テーブルに、全チャンネル（全ての受信可能チャンネル）のチャンネル番号およびそれらのチャンネル選択項目がセットされる（ステップ１３）。そして、ステップ１５に移行する。
　入力桁数が２桁目〜４桁目である場合には（ステップ１２でＮＯ）、検索用入力テーブルに、検索用出力テーブルに前回セットされたチャンネル番号およびそれらのチャンネル選択項目がセットされる（ステップ１４）。そして、ステップ１５に移行する。
　ステップ１５では、検索用出力テーブルがクリアされる。この後、検索用入力テーブルから、１づずつチャンネル番号が取り出される（ステップ１６）。そして、取り出されたチャンネル番号における入力桁数に対応する数字が、今回入力された数字と同じである否かが判別される（ステップ１７）。
　取り出されたチャンネル番号における入力桁数に対応する数字が、今回入力された数字と同じ場合には、検索用出力テーブルにそのチャンネル番号および対応するチャンネル選択項目が追加される（ステップ１８）。そして、上記ステップ１６で取り出されたチャンネル番号が、検索用入力テーブルの最後のチャンネル番号であるか否かが判別される（ステップ１９）。上記ステップ１６で取り出されたチャンネル番号が、検索用入力テーブルの最後のチャンネル番号でない場合には、ステップ１６に戻る。
　上記ステップ１７において、上記ステップ１６で取り出されたチャンネル番号における入力桁数に対応する数字が、今回入力された数字と同じではないと判別された場合には、上記ステップ１６で取り出されたチャンネル番号が、検索用入力テーブルの最後のチャンネル番号であるか否かが判別される（ステップ１９）。上記ステップ１６で取り出されたチャンネル番号が、検索用入力テーブルの最後のチャンネル番号でない場合には、ステップ１６に戻る。
　検索用入力テーブル内の全てのチャンネル番号に対してステップ１７の処理が行われると、ステップ１９でＹＥＳとなるので、ステップ２０に移行する。ステップ２０では、数字入力ボックスにおける上記ステップ１で判別された入力桁数に対応する位置に、今回入力された数字が描画せしめられるとともにカーソルが移動せしめられる。
　そして、検索用出力テーブルに含まれているチャンネル番号に対応するチャンネル選択項目が描画される（ステップ２１）。」（段落３０ないし４２）
　
（３）対比
　本願補正発明と引用例に記載された発明（以下「引用発明」という。）とを対比する。
（ア）引用例の上記記載（ａ）、（ｂ）によれば、引用発明は、地上波チューナ２及びＣＳデジタル受信回路４を有し、視聴したい番組が提供されているチャンネルが選択されると、選択されたチャンネル番号に対する選局動作を行うものであるから、「放送チャンネル選択装置」であって、「複数のチャンネルの放送信号から所定のチャンネルの放送信号を選択して受信するチューナ」を有し、「所定のチャンネル番号」の「放送信号を受信する」ものといえる。
（イ）引用例の上記記載（ａ）、（ｃ）によれば、リモコン１３の数字キーによってチャンネル番号を入力しているから、引用発明の「リモコン１３の数字キー」は「チャンネルを示す番号を入力する番号入力手段」といえる。
（ウ）引用例の上記記載（ｂ）、（ｅ）によれば、ＣＳデジタル受信回路４から得られた番組案内情報等の付加情報は、システムコントローラ２０に送られる。システムコントローラ２０は、ＣＳ放送に対する番組案内画面、各種設定画面等をＣＲＴ８にオンスクリーン表示させるためのＯＳＤ信号をＯＳＤ表示回路１５に送る機能を有し、ダイレクト選局動作において、受信可能な全チャンネルのチャンネル番号を含むチャンネル選択項目を検索用入力テーブルにセットする。
　そうすると、技術常識から見て、前記検索用入力テーブルにセットされる受信可能なチャンネル番号を含むチャンネル選択項目はＣＳデジタル受信回路４から得られた情報に基づいて作成または抽出されるものであることが明らかであり、前記受信可能なチャンネル番号を含むチャンネル選択項目は前記検索用入力テーブルにセットされる以前に装置内に記憶されていたと見るのが自然であるが（例えば、原査定において周知例として引用された特開平１１−１６４２１４号公報（特に、段落２１）参照）、仮にそうでないとしても、前記検索用入力テーブルも受信可能なチャンネル番号を含むチャンネル選択項目を記憶する記憶手段といえるから、いずれにしても、本願補正発明にいう「受信することが可能なチャンネルを記憶する記憶手段」の存在を認めることができる。そして、前記受信可能なチャンネル番号は、本願補正発明の「記憶手段に記憶したチャンネル番号」に相当するといえる。
（エ）引用例の上記記載（ａ）、（ｃ）、（ｄ）、（ｅ）及び図２によれば、前記ダイレクト選局動作において、番号入力手段から入力された所定のチャンネル番号の上位桁の番号と、前記検索用入力テーブルから１つずつ取り出されるチャンネル番号の上位桁の対応する桁数の数字とが比較され、上位桁が同じであるチャンネル番号を含むチャンネル選択項目が検索用出力テーブルに追加され、前記検索用出力テーブルに含まれるチャンネル番号を含むチャンネル選択項目が全て表示手段に表示される（ここで、段落２１の記載によれば、チャンネル選択項目には、放送局のマークを示すチャンネルロゴとチャンネル番号とが含まれ、チャンネル名を含めるようにしてもよいとしている。そして、表示手段上、チャンネル選択項目（チャンネル番号、チャンネルロゴ等）がチャンネル毎に各々一括りで表示されることが認められる。以下、表示手段上に一括りで表示された各チャンネル選択項目のうち特にチャンネル番号のみに着目する場合には、（表示画面上の）「チャンネル番号を含むチャンネル選択項目」を「チャンネル番号（チャンネル選択項目）」という。）。
　次に、ダイレクト選局動作中に、その時点の特定のチャンネル番号から所定のチャンネル番号まで順送りして選局（以下、「順送り選局動作」という。）を行う場合には、前記検索用出力テーブルに含まれるチャンネル番号のうち最も小さいチャンネル番号が選び出され、その選び出された特定のチャンネル番号（チャンネル選択項目）を起点として、順送り選局動作が行われる。
　したがって、「記憶手段に記憶したチャンネル番号と、番号入力手段から入力したチャンネル番号の上位桁の番号」「とを比較し、前記記憶手段に記憶した」特定の「チャンネル番号を選び出す判断手段」の存在が認められる。
　そして、本願補正発明においても、「判断手段」が「最も近いチャンネル番号」を選び出しているから、本願補正発明の「判断手段」も、特定の「チャンネル番号を選び出す判断手段」である点で引用発明の判断手段と一致する。
　もっとも、前記「判断手段」は、本願補正発明では、記憶手段に記憶したチャンネル番号と、「前記番号入力手段から入力したチャンネル番号の上位桁の番号と前記番号入力手段から入力していないチャンネル番号の下位桁の番号を０とみなして定まる番号」とを比較し、特定の「チャンネル番号」として、前記記憶手段に記憶した「最も近い」チャンネル番号を選び出すのに対し、引用発明では、記憶手段に記憶したチャンネル番号と、「前記番号入力手段から入力したチャンネル番号の上位桁の番号」とを比較し、特定の「チャンネル番号」として、前記記憶手段に記憶したチャンネル番号と上位桁が同じであるチャンネル番号の中で最も小さいチャンネル番号を選び出すものである。
　
（オ）同じく引用例の上記記載（ａ）、（ｃ）、（ｄ）、（ｅ）及び図２によれば、前記順送り選局動作の場合には、表示手段に表示された全てのチャンネル番号（チャンネル選択項目）のうち、前記判断手段で選び出した特定のチャンネル番号（チャンネル選択項目）にカーソルが付される。そして、前記特定のチャンネル番号（チャンネル選択項目）を起点として、リモコン上の上下左右キーの操作によって所定のチャンネル番号（チャンネル選択項目）までカーソルが順送りされ、決定キーの操作によって所定のチャンネル番号が選択され、対応するチャンネルの選局動作が行われる。
　したがって、所定のチャンネル番号を選択するための「起点」となる「前記判断手段で選び出した」特定の「チャンネル番号」を表示する「チャンネル番号を表示する表示手段」の存在が認められる。
　そして、引用発明の「リモコン上の上下左右キー」及び「決定キー」は、本願補正発明の「チャンネル送り指示手段」に対応し、引用発明は、前記特定の「チャンネル番号を起点として、」「前記チャンネル送り指示手段の送り指示により」「所定のチャンネル番号を前記チューナに指示する」ものといえる。
　もっとも、本願補正発明では、「チャンネル送り指示手段」は「チャンネルの順送りまたは逆送り指示を行」い、「表示手段」は、前記特定のチャンネル番号を表示するものであり、前記特定のチャンネル番号を起点として、前記チャンネル送り指示手段の送り指示により「前記所定のチャンネルまで順送りまたは逆送りして」該所定のチャンネル番号を前記チューナに指示するのに対し、引用発明では、「チャンネル送り指示手段」は、チャンネル番号に付されたカーソルを上下左右に送る指示を行い、「表示手段」は、前記特定のチャンネル番号にカーソルを付しつつ、前記上位桁が同じであるチャンネル番号を全て表示するものであり、前記特定のチャンネル番号を起点として、前記チャンネル送り指示手段の送り指示により前記所定のチャンネルまでカーソルを移動（上下左右キー）させ、該所定のチャンネル番号を選択（決定キー）してチューナに指示している。
　
　したがって、両者は、
「複数のチャンネルの放送信号から所定のチャンネルの放送信号を選択して受信するチューナと、
　チャンネル送り指示手段と、
　チャンネルを示す番号を入力する番号入力手段と、
　受信することが可能なチャンネルを記憶する記憶手段と、
　該記憶手段に記憶したチャンネル番号と、前記番号入力手段から入力したチャンネル番号の上位桁の番号とを比較し、前記記憶手段に記憶した特定のチャンネル番号を選び出す判断手段と、
　チャンネル番号を表示する表示手段とを具備し、
　前記判断手段で選び出した特定のチャンネル番号を前記表示手段に表示し、前記特定のチャンネル番号を起点として、前記チャンネル送り指示手段の送り指示により該所定のチャンネル番号を前記チューナに指示し、放送信号を受信することを特徴とする放送チャンネル選択装置。」
である点で一致し、以下の各点で相違している。
　
［相違点１］前記「判断手段」は、本願補正発明では、記憶手段に記憶したチャンネル番号と、「前記番号入力手段から入力したチャンネル番号の上位桁の番号と前記番号入力手段から入力していないチャンネル番号の下位桁の番号を０とみなして定まる番号」とを比較し、特定の「チャンネル番号」として、前記記憶手段に記憶した「最も近い」チャンネル番号を選び出すのに対し、引用発明では、記憶手段に記憶したチャンネル番号と、「前記番号入力手段から入力したチャンネル番号の上位桁の番号」とを比較し、特定の「チャンネル番号」として、前記記憶手段に記憶したチャンネル番号と上位桁が同じであるチャンネル番号の中で最も小さいチャンネル番号を選び出す点。
［相違点２］本願補正発明では、「チャンネル送り指示手段」は「チャンネルの順送りまたは逆送り指示を行う」手段であり、「表示手段」は、前記特定のチャンネル番号を表示するものであり、前記特定のチャンネル番号を起点として、前記チャンネル送り指示手段の送り指示により「前記所定のチャンネルまで順送りまたは逆送りして」該所定のチャンネル番号を前記チューナに指示するのに対し、引用発明では、「チャンネル送り指示手段」は、チャンネル番号に付されたカーソルを上下左右に送る指示（上下左右キー）及び所定のチャンネル番号の選択（決定キー）を行う手段であり、「表示手段」は、前記特定のチャンネル番号にカーソルを付しつつ、前記上位桁が同じであるチャンネル番号を全て表示するものであり、前記特定のチャンネル番号を起点として、前記チャンネル送り指示手段の送り指示により前記所定のチャンネルまでカーソルを移動（上下左右キー）させ、該所定のチャンネル番号を選択（決定キー）してチューナに指示する点。
　
（４）判断
　上記各相違点につき判断する。
（４−１）相違点１について
　引用発明では、受信可能なチャンネルのチャンネル番号の桁数が全て同じであることは前提とはなっていないが、仮に、（本願補正発明のように）桁数が全て同じであることを前提とする場合には、引用発明の、番号入力手段から入力された所定のチャンネル番号の上位桁の番号と、前記検索用入力テーブルから１つずつ取り出されるチャンネル番号の上位桁の対応する桁数の数字とを比較することと、本願補正発明にいう「該記憶手段に記憶したチャンネル番号と、前記番号入力手段から入力したチャンネル番号の上位桁の番号と前記番号入力手段から入力していないチャンネル番号の下位桁の番号を０とみなして定まる番号とを比較」することとは実質的に同じであり、
　かつ、本願補正発明の「最も近いチャンネル番号を選び出す」ことに対応する記載として、本願明細書または図面には「最も近い順送り方向の受信可能なチャンネル」を選び出すことしか記載がないことを考慮すれば、引用発明において「最も小さいチャンネル番号を選び出す」ことと、本願補正発明の「最も近いチャンネル番号を選び出す」こととは実質的に同じであるといえる。
　そして、受信することが可能なチャンネル番号と、番号入力手段から入力したチャンネル番号の上位桁の番号と前記番号入力手段から入力していないチャンネル番号の下位桁の番号を０とみなして定まる番号とを比較し、最も近い（受信することが可能な）チャンネル番号を選び出すことが周知技術（例えば、原査定において周知技術として引用した特開平１１−２２５２９７号公報（平成１１年８月１７日出願公開、特に、段落７４ないし８３、第２４図ないし第２８図参照。段落８２には、「本例は、すべてのチャンネルが、同じ桁数の数字で指定されるときに可能となる」ことが記載されており、桁数が全て同じであることを前提とする場合に相当する。）、特開２０００−１５６８２６号公報（平成１２年６月６日出願公開、特に、段落１４、１６、２９、５１ないし５３、６３ないし６５、７１、７８、第６図ないし第７図参照。段落１４には、チャンネル番号を３桁で構成することが記載されており、桁数が全て同じであることを前提とする場合に相当する。）であることを考慮すれば、
　引用発明の判断手段を、受信可能なチャンネルのチャンネル番号の桁数が全て同じであることを前提とする上記周知技術で置き換えて本願補正発明とすることに格別の困難性があるとはいえない。また、これによる効果も上記引用例及び周知技術から当業者が予測できる範囲のものである。
　
（４−２）相違点２について
　チャンネルの順送りまたは逆送りを行うチャンネル送り指示手段を設け、特定のチャンネル番号を起点として、前記チャンネル送り指示手段の送り指示により所定のチャンネルまで順送りまたは逆送りして該所定のチャンネル番号を前記チューナに指示することは周知技術（例えば、原査定の理由で引用した特開平７−１３１７２７号公報（平成７年５月１９日出願公開）、原査定において周知技術として例示した特開平２−７１６２０号公報（平成２年３月１２日出願公開）、特開平９−５５８９４号公報（平成９年２月２５日出願公開）または特開平１１−１６４２１４号公報（平成１１年６月１８日出願公開）参照。）であり、選局の過程でチャンネル番号を表示手段に表示することも常套の技術であるから、引用発明の上下左右キー及び決定キーからなるチャンネル送り指示手段に代えて、上記周知のチャンネル送り指示手段を採用するとともに、上記常套技術を採用して順送り選局動作の起点となる特定のチャンネル番号を表示手段に表示し、前記チャンネル送り指示手段の送り指示により所定のチャンネルまで順送りまたは逆送りして該所定のチャンネル番号を前記チューナに指示することは当業者が容易に想到し得ることである。また、これによる効果も上記引用例及び周知技術から当業者が予測できる範囲のものである。
　
　以上判断したとおり、本願補正発明における上記相違点１及び２に係る構成はいずれも当業者が容易に想到し得たものであり、また、各相違点を総合しても本願補正発明は当業者が想到することが困難なものとはいえない。
　そして、本願補正発明の作用効果も、上記各引用例及び周知技術から当業者が予測できる範囲のものである。
　
　したがって、本願補正発明は、上記引用例に記載された発明、及び、周知技術に基づいて、当業者が容易に発明をすることができたものであるから、特許法第２９条第２項の規定により特許出願の際独立して特許を受けることができないものである。
　　
（５）むすび
　以上のとおり、本件補正は、特許法第１７条の２第５項において準用する同法第１２６条第５項の規定に違反するので、特許法第１５９条第１項の規定において読み替えて準用する同法第５３条第１項の規定により却下されるべきものである。
　
３．本願発明について
（１）本願発明
　平成１６年３月３０日付けの手続補正は上記のとおり却下されたので、本願の請求項１ないし３に係る発明は、平成１６年２月１６日付け手続補正書の特許請求の範囲の請求項１ないし３に記載された事項により特定されるものであると認められるところ、その請求項１に記載された発明（以下、「本願発明」という。）は以下のとおりのものである。
「【請求項１】　複数のチャンネルの放送信号から所定のチャンネルの放送信号を選択して受信するチューナと、
　チャンネルの順送りまたは逆送り指示を行うチャンネル送り指示手段と、
　チャンネルを示す番号を入力する番号入力手段と、
　受信することが可能なチャンネルを記憶する記憶手段と、
　該記憶手段に記憶したチャンネル番号と、前記番号入力手段から入力したチャンネル番号の上位桁の番号と前記番号入力手段から入力していないチャンネル番号の下位桁の番号を０とみなして定まる番号とを比較し、前記記憶手段に記憶した最も近いチャンネル番号を選び出す判断手段と、
　チャンネル番号を表示する表示手段とを具備し、
　前記判断手段で選び出した最も近いチャンネル番号を前記表示手段に表示し、前記チャンネル送り指示手段の送り指示により前記所定のチャンネルまで順送りまたは逆送りして該所定のチャンネル番号を前記チューナに指示し、放送信号を受信することを特徴とする放送チャンネル選択装置。」
　　
（２）引用例
　原査定の拒絶の理由に引用された引用例、および、その記載事項は、前記「２．（２）」に記載したとおりである。　
　
（３）対比・判断
　本願発明は、前記２．で検討した本願補正発明から２．（１）に記載した限定事項を省いたものである。　
　そうすると、本願発明の特定事項を全て含み、さらに他の特定事項を付加したものに相当する本願補正発明が、前記「２．（４）」に記載したとおり、上記引用例及び周知技術に基づいて、当業者が容易に発明をすることができたものであるから、本願発明も、同様の理由により、上記引用例に記載された発明及び周知技術に基づいて、当業者が容易に発明をすることができたものである。
　
（４）むすび
　以上のとおり、本願発明は、上記引用例に記載された発明及び周知技術に基づいて、当業者が容易に発明をすることができたものであるから、特許法第２９条第２項の規定により特許を受けることができない。
　
　したがって、本願の他の請求項について検討するまでもなく、本願は拒絶されるべきものである。
　
　よって、結論のとおり審決する。